(57)【要約】      （修正有）【課題】人が寒いと感じるときには、いつでも素早く且つ気軽に着用・収納することが出来、且つ、紛失してしまうことも無い、膝掛等を備えるウェストバッグを提供する。【解決手段】ウェストバッグ本体１は、開閉自在な入出口部１Ａ、入出口部１Ａを介してその内部空間１ＣＳＰ内に物を収納可能な収納部１Ｃ、及び、収納部１Ｃの両端部に取付けられており人の腰部に装着自在な一対のバンド部１Ｂを有する。膝掛２は、未使用時には、開かれた状態の入出口部１Ａより取り出し可能な状態下で、収納部１Ｃの内部空間１ＣＳＰ内に折り畳まれて収納されている。しかも、膝掛２の一端部２Ｅは、ウェストバッグ本体１の収納部１Ｃの内面１ＣＳに着脱自在に取付けられている。使用時には、人は、入出口部１Ａを開いて膝掛２を外部に取り出すだけで、膝掛２を膝の上に掛けることが出来る。膝掛２に代えて、ブランケット又はジャケット等が適用されても良い。【選択図】図２
0003205817.tif 000002
【実用新案登録請求の範囲】
【請求項１】
開閉自在な入出口部、前記入出口部を介してその内部に物を収納可能な収納部、及び、前記収納部の両端部に取付けられており人の腰部に装着自在な一対のバンド部を有するウェストバッグ本体と、
前記ウェストバッグ本体の前記収納部の内面に取付けられている一端部を有すると共に、開かれた前記入出口部より取り出し可能な状態で前記収納部の前記内部に折り畳まれて収納されている膝掛と
を備えることを特徴とする、ウェストバッグ。
【請求項２】
開閉自在な入出口部、前記入出口部を介してその内部に物を収納可能な収納部、及び、前記収納部の両端部に取付けられており人の腰部に装着自在な一対のバンド部を有するウェストバッグ本体と、
開かれた前記入出口部より取り出し可能な状態で前記収納部の前記内部に折り畳まれて収納されていると共に、生地の裏面の一部分が前記ウェストバッグ本体の前記収納部の内面に取付けられているブランケットと
を備えることを特徴とする、ウェストバッグ。
【請求項３】
請求項１又は２に記載のウェストバッグであって、
前記膝掛の前記一端部又は前記ブランケットの前記生地裏面の前記一部分は、前記ウェストバッグ本体の前記収納部の前記内面に対して着脱自在に取り付けられている
ことを特徴とする、ウェストバッグ。
【請求項４】
開閉自在な入出口部、前記入出口部を介してその内部に物を収納可能な収納部、及び、前記収納部の両端部に取付けられており人の腰部に装着自在な一対のバンド部を有するウェストバッグ本体と、
その背中側の生地の内面の内で前記人の前記腰部周りに該当する一部分が前記ウェストバッグ本体の前記収納部の内面に取付けられていると共に、開かれた前記入出口部より取り出し可能な状態で前記収納部の前記内部に折り畳まれて収納されている、ジャケットと
を備えることを特徴とする、ウェストバッグ。
【請求項５】
前記ジャケットの前記背中側生地内面の前記一部分は、前記ウェストバッグ本体の前記収納部の前記内面に対して着脱自在に取り付けられている
ことを特徴とする、ウェストバッグ。
【考案の詳細な説明】
【技術分野】
【０００１】
この考案は、人の身体の腰部に装着可能なウェストバッグに関する。
【背景技術】
【０００２】
椅子に座って作業をしている場合に、足下が寒く感じる場合には、人は、膝掛を利用する場合が多い。その様な膝掛の構成に関しては種々のものが提案されている。例えば、１）ずれ防止のために改良された膝掛が提案されており（特許文献１参照。）、或いは、２）ずれ落ち防止のために改良された膝掛が提案されている（特許文献２参照。）。
【先行技術文献】
【特許文献】
【０００３】
【特許文献１】特開２０１５−１０７２９５号公報
【特許文献２】米国特許公開２０１０−０１９９４０２号公報
【考案の概要】
【考案が解決しようとする課題】
【０００４】
しかし、膝掛を膝の上に掛けて作業中に他の場所へ移動したりする場合が多く、その度に、人は膝掛を他の場所へ置いておく必要性がある。しかも、他の場所へ移動した際に、更に当該他の場所に於いても膝掛を利用したいときには、人は膝掛を手に持って持ち歩かなければならず面倒であって、煩わしく感じられる。その場合に、人は移動の際に膝掛を落としてしまうことが有り得、それによって膝掛が汚れることも有り、或いは、膝掛を落としたことに気付かずに膝掛を紛失してしまう場合も有り得る。如何なる場所に於いても、足下が寒く感じるときには、人はいつでも気軽に且つすぐさま膝掛を利用したいと思うものである。この場合の対策として、人は鞄の中に膝掛を入れて持ち歩くことも考えられるが、結局は人が手で直接に膝掛を持って移動する場合と変わらない面倒な状況が生じるのであって、しかも、人が鞄の中に膝掛を入れておくのを忘れたりする等により、膝掛を失くしてしまう場合も生じ得る。
【０００５】
斯かる問題点は、例えば、１）人が列車、バス又は飛行機等の交通手段の席に座って当該列車等に乗っている際に寒く感じるのでブランケットを利用して席に座りながら休む場合に於ける袖付きブランケット（袖付き毛布）の利用の場合についても、生じ得る問題である。
【０００６】
或いは、２）人が屋外で散歩・釣等の活動をしている際に寒く感じるので防寒用のジャケットを羽織る場合についても、既述した問題点が同様に生じ得る。
【０００７】
この考案は、以上の問題点の着眼に依拠して成されたものであり、その主目的は、人が寒いと感じるときには、如何なる場所に於いても、いつでも素早く且つ気軽に着用・収納して確実に利用することが出来、しかも、紛失してしまうことも無い、膝掛、袖付きブランケット又はジャケットを実現することにある。
【課題を解決するための手段】
【０００８】
本考案の主題に係るウェストバッグは、Ａ）開閉自在な入出口部、前記入出口部を介してその内部に物を収納可能な収納部、及び、前記収納部の両端部に取付けられており人の腰部に装着自在な一対のバンド部を有するウェストバッグ本体と、Ｂ）前記ウェストバッグ本体の前記収納部の内面に取付けられている一端部を有すると共に、開かれた前記入出口部より取り出し可能な状態で前記収納部の前記内部に折り畳まれて収納されている膝掛とを、備えることを特徴とする。
【考案の効果】
【０００９】
本考案の主題に係るウェストバッグによれば、人は、ウェストバッグ本体を腰部に巻き付けてウェストバッグを利用するときに於いて、作業時に足下が寒いと感じた際には、収納部の内部より膝掛を取り出して折り畳まれた膝掛を開くことで、素早く且つ簡単に、膝掛を膝の上に掛けることが出来る。又、人は、当該作業時に、使用中の膝掛が不要となった場合又は膝掛を使用中に立ち上がって他の場所へ移動する際にも、単に膝掛を折り畳んで当該膝掛を収納部の内部に収納するだけで、素早く且つ簡単に膝掛を自分の腰回りに仕舞ってしまうことが出来る。しかも、膝掛は、ウェストバッグ本体を腰部に巻き付けた人の移動乃至は歩行に応じて、ウェストバッグ本体と一体となってウェストバッグ本体と共に移動する、乃至は、持ち運ばれる。そのため、人が膝掛を手で持ち歩いて移動する、或いは、人が膝掛を鞄の中に入れて持ち歩くという様な面倒な事は生ぜず、人が膝掛を紛失してしまうという事態も生じ得ない。
【００１０】
以下、本考案の様々な具体化を、添付図面を基に、その効果・利点と共に、詳述する。
【図面の簡単な説明】
【００１１】
【図１】本考案の各実施の形態に係るウェストバッグの構成を模式的に示す正面図である。
【図２】本考案の実施の形態１に係るウェストバッグ本体の入出口部より外部へ取り出された状態にある膝掛を模式的に示す正面図である。
【図３】図２に記載のウェストバッグ本体と一体化された膝掛の使用例を模式的に示す側面図である。
【図４】本考案の実施の形態２に係るウェストバッグ本体の入出口部より外部へ取り出された状態にある袖付きブランケットを模式的に示す正面図である。
【図５】本考案の実施の形態３に係るウェストバッグ本体の入出口部より外部へ取り出された状態にある、着用前のジャケットを模式的に示す正面図である。
【考案を実施するための形態】
【００１２】
（実施の形態１）
図１は、本実施の形態及び後述する実施の形態２及び３に共通して用いられるウェストバッグ１０の構成を模式的に示す正面図である。図１に示される通り、ウェストバッグ１０の実体を成す中核的構成要素は、ウェストバッグ本体１である。ウェストバッグ本体１の材質は特に限定されるものではなく、例えば、布地を主たる材質としてウェストバッグ本体１が構成されても良い。
【００１３】
このウェストバッグ本体１は、大要、１）収納部１Ｃ、２）収納部１Ｃの略中央部に設けられた入出口部１Ａ、及び、３）一対のバンド部１Ｂを有する。その内、入出口部１Ａは、当該部分１Ａより収納物２０を取り出し又は収納可能となる様に開閉自在な機構を有する開閉口部であり、例えば、ファスナーより成るチャック部として構成される。上記の通り、入出口部１Ａは、収納部１Ｃ自体の略中央部に形成・配設されている。そして、ウェストバッグ本体１の主要部を成す収納部１Ｃは、開かれた状態にある入出口部１Ａを介して収納物２０を収納可能な内部空間１ＣＳＰを有する。この収納部１Ｃの内部空間１ＣＳＰは、その内面１ＣＳより形成される。又、一対のバンド部１Ｂの各々は、収納部１Ｃの正面視に於ける両端部の内の対応する端部に取付けられており、人の腰部に装着・脱着自在となる様に、一対のバックル部（バンド結合部）１Ｄを有する。
【００１４】
尚、図１に示される収納物２０は、後述する膝掛２、袖付きブランケット３又はジャケット４の何れかより成り、入出口部１Ａが閉されている場合に於いては、収納部１Ｃの内部空間１ＣＳＰ内に適宜に折り畳まれた状態で収納されている。
【００１５】
図２は、ウェストバッグ本体１の開かれた状態下の入出口部１Ａを介して、収納部１Ｃの内部空間１ＣＳＰより外部側へ取り出されて開かれた状態にある膝掛２を模式的に示す正面図である。この場合に於いては、入出口部１Ａより外部側へ飛び出した膝掛２の部分は、下方へ垂れさがった状態にある。又、図３は、人Ｐが椅子ＣＨに座って作業を行っている際に、図２に記載の膝掛２を使用する一例を模式的に示す側面図である。
【００１６】
本実施の形態に係るウェストバッグ１０の特徴点は、ウェストバッグ本体１が、その収納部１Ｃの内部空間１ＣＳＰの内面１ＣＳに着脱自在に一体的に取り付けられた膝掛２を有する点にある。この特徴点の構成及び利点の詳細を、図２及び図３に基づいて以下に記載する。尚、膝掛２の材質及び形状は特に限定されるものではなく、図２に示される膝掛２の形状（正面視に於いて長方形型。）は一例であり、材質としては、例えばウール等の毛又は毛布が採用される。
【００１７】
膝掛２は、ウェストバッグ本体１の収納部１Ｃの内面１ＣＳに取付けられている一端部２Ｅを有すると共に、未使用時に於いては、開かれた入出口部１Ａより取り出し可能な状態で収納部１Ｃの内部空間１ＣＳＰ内に折り畳まれて収納されている。図２及び図３は、既述の通り、正に、使用時に於ける、開かれた入出口部１Ａより外部へ取り出されて下方へ垂れさがった状態の膝掛２を示している。
【００１８】
図２の一例に示される通り、膝掛２の一端部２Ｅ及びウェストバッグ本体１の収納部１Ｃの内面１ＣＳの突出部分１ＣＳＥは、共に、ファスナーより成るチャック部を構成している。このチャック部のファスナーの開閉機能により、人は、膝掛２を、その一端部２Ｅと突出部分１ＣＳＥとの結合を通じて、着脱自在に収納部１Ｃの内面１ＣＳに取付けることが出来る。斯かる膝掛２の一端部２Ｅのファスナー構成により、人は、収納部１Ｃの内面１ＣＳに取付けられている膝掛２が汚れてきた場合には、当該膝掛２を収納部１Ｃの内面１ＣＳより簡単に取り外して洗濯することが可能である。或いは、人は、状況に応じて、収納部１Ｃの内面１ＣＳより簡単に取り外した膝掛２を、ウェストバッグ本体１とは別個に、単独で自在に使用することも可能となる。
【００１９】
尚、変形例として、図２に例示のファスナー機構を成す一端部２Ｅに代えて、上記の利点は得られないが、膝掛２の一端部を完全に収納部１Ｃの内面１ＣＳに固設することとしても良い。
【００２０】
以下では、図２及び図３を参照して、人Ｐがウェストバッグ１０の膝掛２を使用する方法及びその際に得られる利点について記載する。
【００２１】
先ず、人Ｐは、一対のバンド部１Ｂの結合によって、自己の腰部の周囲に亘って、ウェストバッグ本体１を取り付ける。そして、人Ｐは、椅子ＣＨに座って事務作業等の作業を行っている場合に、足下が寒く感じない場合には、ウェストバッグ本体１の入出口部１Ａのファスナーを閉じた状態のままとしておく。この場合に於いては、既述の通り、膝掛２は、入出口部１Ａよりいつでも取り出し可能な状態の下で、折り畳まれて収納部１Ｃの内部空間１ＣＳＰ内に収納されている。
【００２２】
その着席状態の継続に於いて、人Ｐが、足下が寒く感じるので、足下に膝掛を置いて当該作業を継続したいと思う場合を考える。この場合には、人Ｐは、わざわざ立ち上がることなく椅子に座った姿勢のままで、ウェストバッグ本体１の入出口部１Ａのファスナーを開けた上、内部空間１ＣＳＰ内に折り畳まれている膝掛２の一部を手で摘まんで当該膝掛２を、開いた入出口部１Ａを介して、外部へと取り出して、畳まれている膝掛２を順次に開いていけば良い。斯かる動作によって、既述の通り、膝掛２の一端部２Ｅは収納部１Ｃの内面１ＣＳに取付けられているので、膝掛２の一端部２Ｅ及びその近傍部は内部空間１ＣＳＰ内に存在することとなるが、それ以外の膝掛２の部分は、入出口部１Ａより飛び出して人Ｐの足に沿って垂れ下がった状態となり、以って、人Ｐの腰部より下方の足下（膝部分を含む。）を覆って温めることになる。図３は、その状態を模式的に示している。尚、図３の参照符号ＦＬは床面である。
【００２３】
そして、人Ｐが足下の寒さを感じなくなり膝掛２の使用を不要と思う場合、或いは、人Ｐが現在の場所から他の場所へ移動して当該移動先の場所で他の作業等の仕事を行う必要性がある場合を考える。斯かる場合に於いては、人Ｐは、現在の座ったままの状態で、開いて垂れ下がっている膝掛２の他端部２Ｅ２側より一端部２Ｅへ向けて膝掛２を手で内側に順次に折り畳んでいき、膝掛２が収納可能な状態にまで折り畳まれた段階で、当該折り畳まれた膝掛２を収納部１Ｃの内部空間１ＣＳＰ内に、入出口部１Ａを介して、放り込む。そして、人Ｐは、入出口部１Ａのファスナーを閉じれば良い。これらの動作で、膝掛２は完全にウェストバッグ本体１の収納部１Ｃ内に一体的に収納されて仕舞われたこととなる。その後、人Ｐは、そのままの着席状態で当該作業を継続するか、或いは、人Ｐは、ウェストバッグ１０を腰部に巻き付けたままで立ち上がって、一々、膝掛を手に持って、又は、膝掛を鞄に詰め込んで、持ち歩く事無く、そのまま他の場所へ移動すれば良く、移動先の他の場所で再び膝掛２を使用するときには上述の動作を単純に繰り返し行えば良い。後者の移動の場合、人Ｐは、移動先で又は移動中に、膝掛を忘れてしまい、又は、膝掛を落として気付かないことにより、膝掛を紛失してしまうことは無い。
【００２４】
以上の通り、人Ｐが、本実施の形態に係る、膝掛２を一体的に有するウェストバッグ１０を腰部に巻き付けてウェストバッグ１０を利用するときには、人Ｐは、作業中に足下が寒いと感じた際に素早く且つ簡単に膝掛２を膝の上に掛けることが出来ると共に、膝掛が不要となった場合又は立ち上がって他の場所へ移動する際にも、素早く且つ簡単に膝掛２を自分の腰回りに仕舞ってしまうことが出来る。しかも、膝掛２は、ウェストバッグ１０を腰部に巻き付けた人Ｐの移動（歩行）に追随して、ウェストバッグ本体１と一体となってウェストバッグ本体１と共に移動する、乃至は、持ち運ばれるので、膝掛を手で持ち歩く等という面倒な事は生ぜず、且つ、膝掛の紛失という事態も生じ得ない。
【００２５】
尚、膝掛２を一体的に有する、本実施の形態のウェストバッグ１０は、椅子に座って仕事等の作業・活動を行っている場合のみならず、例えば、映画館又はコンサート会場等の建物内で座席に座って観覧している場合の膝掛にも利用可能であり、その場合の使用方法・利点は既述の通りである。要するに、本実施の形態に係るウェストバッグ１０の利用場面・適用場面は種々であり、多いと言える。
【００２６】
（変形例）
膝掛２に代えて、雨振りの日にスカートが雨風で濡れて足下が寒く感じるのを防止するためにスカートを覆う着衣である「レインスカート」を、同様に適用しても良い。即ち、本変形例でも、実施の形態１（図２の例示）と同様に、レインスカートの一端部がウェストバッグ本体１の収納部１Ｃの内部空間１ＣＳＰの内面１ＣＳに取付けられていると共に、レインスカートは、開かれた入出口部１Ａより取り出し可能な状態の下で、収納部１Ｃの内部空間１ＣＳＰ内に折り畳まれた状態にて収納されている。尚、この場合には、図２の例示の様に、入出口部１Ａより取り出されて開かれた状態のレインスカートによってスカートを覆うために、図２の様に開かれた状態の正面視に於けるレインスカートの長手方向に沿った両端部の各々には、面ファスナーが設けられる。本変形例に於けるレインスカートの利用方法及び利点は、実施の形態１の膝掛２に関して既述した利用方法及び利点と同様である。利点について重複的に記載すれば、次の通りである。即ち、人が、本変形例に係る、レインスカートを一体的に有するウェストバッグ１０を腰部に巻き付けてウェストバッグ１０を利用するときには、人は、雨降りの日での作業中又は歩行中に、スカートが雨風で濡れて足下が寒く感じるのを防止するために、素早く且つ簡単にレインスカートをウェストバッグ本体より取り出してスカートを覆うことが出来る。と共に、人は、レインスカートが不要となった場合には、素早く且つ簡単にレインスカートをウェストバッグ本体の収納部内に収納して自分の腰回りに仕舞ってしまうことが出来る。そして、レインスカートは、ウェストバッグ１０を腰部に巻き付けた人の歩行に応じて、ウェストバッグ本体と一体となってウェストバッグ本体と共に移動する、乃至は、持ち運ばれるので、レインスカートを手で持ち歩く等という面倒な事は生ぜず、且つ、レインスカートの紛失という事態も生じ得ない。
【００２７】
以上の観点から、留意すべき点として、本考案に於いては、「膝掛」という用語は、実施の形態１で既述した本来の意味での狭義の「膝掛２」を示す概念のみならず、上記変形例に係る「レインスカート」をそこに含む概念として、広義の意味で定義され且つ用いられる。
【００２８】
（実施の形態２）
図４は、本実施の形態に係るウェストバッグ本体１の入出口部１Ａより外部へ取り出された状態にある袖付きブランケット３を模式的に示す正面図である。本実施の形態に於いても、図１及び図１に関する既述の記載は援用される。又、図４中、図２と同一の参照符号は、同一の構成要素を示す。
【００２９】
本実施の形態に係るウェストバッグ１０の特徴点は、ウェストバッグ本体１が、その収納部１Ｃの内部空間１ＣＳＰの内面１ＣＳに着脱自在に一体的に取り付けられた袖付きブランケット（袖付き毛布）３を有する点にある。この特徴点の構成及び利点の詳細を、図４に基づいて以下に記載する。尚、袖付きブランケット３の形状は、そこに付されている袖部３Ａの配設位置を除いた部分に関しては、任意であって、特に限定されるものではない。即ち、図４に示される袖付きブランケット３の全体的形状（正面視に於いて長方形型。）は一例である。
【００３０】
袖付きブランケット３は、未使用時に於いては、開かれた入出口部１Ａより取り出し可能な状態の下で、収納部１Ｃの内部空間１ＣＳＰの内部に折り畳まれて収納されている。この場合、袖付きブランケット３の生地の裏面３ＲＳの一部分は、ウェストバッグ本体１の収納部１Ｃの内部空間１ＣＳＰを成す内面１ＣＳに、着脱自在に一体的に取付けられている。その取付けを担う取付け部３Ｐは、図４では破線で示されており、図４の一例では、対称軸ＣＡの中央部よりやや上方位置に設けられているが、取付け部３Ｐの配設位置は任意である。この取付け部３Ｐは、袖付きブランケット３の生地の裏面３ＲＳの一部分と、収納部１Ｃの内部空間１ＣＳＰの内面１ＣＳの生地の一部分とより構成される。袖付きブランケット３を内面１ＣＳより着脱自在に取り外せる様にする構成としては種々考えられるが（例えば面ファスナーの採用。）、本実施の形態では、一例として、取付け部３Ｐは、ファスナーより成るチャック部乃至はファスナー部として構成される。斯かるファスナー部としての取付け部３Ｐの採用による利点は、実施の形態１に於いて既述した膝掛２の着脱自在による利点と同一である。即ち、人は、取付け部３Ｐに於けるファスナーの開閉機能乃至開閉動作を通じて、袖付きブランケット３を、収納部１Ｃの内面１ＣＳに容易に取付け且つ容易に取り外すことが自在に出来る。斯かる袖付きブランケット３の裏面３ＲＳの一部分のファスナー構成による取付けにより、人は、収納部１Ｃの内面１ＣＳに取付けられている袖付きブランケット３が汚れてきた場合には、当該袖付きブランケット３を収納部１Ｃの内面１ＣＳより簡単に取り外して洗濯することが可能である。或いは、人は、状況に応じて、収納部１Ｃの内面１ＣＳより簡単に取り外した袖付きブランケット３を、ウェストバッグ本体１とは別個に、単独で自在に使用することも可能となる。
【００３１】
加えて、袖付きブランケット３は、当該袖付きブランケット３の長手方向に沿った対称軸ＣＡに対して左右対称に配設された、着用時に人が両腕を通すための一対の袖部３Ａを有する。これらの一対の袖部３Ａは、図３に示される様に、入出口部１Ａより袖付きブランケット３を取り出して開いた使用状態の正面視に於いては、袖付きブランケット３の上方に位置する一端部３ＥＵ側の生地の表面３ＳＳの中央寄りの部分に、配設されている。当然の事ながら、一対の袖部３Ａの各々の腕を通すための貫通孔の入口部分は、袖付きブランケット３の裏面３ＲＳの対応部分及び表面３ＳＳの対応部分を貫通して成る。従って、人が入出口部１Ａより取り出された袖付きブランケット３を開いた上で両腕を対応する袖部３Ａに通して袖付きブランケット３を身体の胸側に置いた状態では、人は恰も割烹着を着ている感じで、袖付きブランケット３を使用することとなる。この様に、一対の袖部３Ａは、人の肩部分に対応する袖付きブランケット３の部分に配設されている訳ではない。
【００３２】
以上の記載より明らかな通り、図３は、正に、収納部１Ｃの内部空間１ＣＳＰ内に適宜に折り畳まれて収納されていた袖付きブランケット３を、人が、入出口部１Ａのファスナーを開くことで外部へ取り出した上で、取り出された袖付きブランケット３を、その裏面３ＲＳ側部分が人の胸側に来る様に開いて使用する状態を示している。
【００３３】
尚、変形例として、図４に例示のファスナー機構を成す取付け部３Ｐに代えて、上記の利点は得られないが、袖付きブランケット３の生地の裏面３ＲＳの一部分を、完全に、収納部１Ｃの内面１ＣＳに、非着脱自在に固設することとしても良い。
【００３４】
又、図４には図示されてはいないが、袖付きブランケット３の一端部３ＥＵ側の生地の両端部分に、袖付きブランケット３の使用時に袖付きブランケット３がずれ落ちない様にするために人の首回りに取付けるための紐状の部材（例えば面ファスナー。）が、取り付けられていても良い。
【００３５】
次に、図４を参照しつつ、人がウェストバッグ１０の袖付きブランケット３を使用する方法について記載する。
【００３６】
先ず、人は、一対のバンド部１Ｂの結合によって、自己の腰部の周囲に亘って、ウェストバッグ本体１を取り付ける。斯かる取付け状態で、人は、長距離バス、列車又は飛行機等の乗り物の座席に座って当該乗り物に乗っている場合を考える。この場合に於いて、人は、自己の身体が寒く感じない場合には、ウェストバッグ本体１の入出口部１Ａのファスナーを閉じた状態のままとしておく。この場合に於いては、既述の通り、袖付きブランケット３は、入出口部１Ａよりいつでも取り出し可能な状態の下で、折り畳まれて、収納部１Ｃの内部空間１ＣＳＰ内に収納されている。
【００３７】
次に、人が体感温度によって寒いと感じるので、胸側の身体の首元部分から足下側の部分の上に袖付きブランケット３を掛けて座席に座りながら休憩したいと思う場合を考える。この場合には、人は、当該座席から立ち上がって離れた場所にあるブランケットを取りに行くことなく、座席に座った姿勢のままで、ウェストバッグ本体１の入出口部１Ａのファスナーを開けた上で、内部空間１ＣＳＰ内に折り畳まれている袖付きブランケット３の一部を手で摘まんで袖付きブランケット３を外部へと取り出し、表面３ＳＳが外側（正面側）に位置する様に、袖付きブランケット３を開ければ良い。この場合、袖付きブランケット３の生地の裏面３ＲＳの一部分は収納部１Ｃの内面１ＣＳに取付けられているので、袖付きブランケット３の生地の裏面３ＲＳの一部分及びその近傍部は内部空間１ＣＳＰ内に存在するが、それ以外の袖付きブランケット３の生地の部分は、袖部３Ａを含めて、入出口部１Ａより飛び出して、人の胸側の身体の部分を覆う状態となる。これにより、入出口部１Ａより取り出されて表面３ＳＳ側の生地が正面となる様に開かれた状態にある袖付きブランケット３の生地の部分は、人の胸側の身体の内の首元部分から足下側の部分を覆って温めることになる。そして、人は、両腕の各々を、対応する側の袖部３Ａに通して、手首を袖部３Ａより出すことで、休憩することとなる。図４は、座席に座って休憩中の人が図示されてはいないが、その様な状態を模式的に示している。この場合、人は、正に、割烹着風のブランケットを着用しつつ当該ブランケットで胸側の身体部を覆って、座席に座りながら休憩している感覚を抱くこととなる。
【００３８】
そして、人が寒さを感じなくなり袖付きブランケット３の使用を最早不要と思う場合、或いは、人が当該乗り物から降車しなければいけないので使用中の袖付きブランケット３を片付ける必要性がある場合を考える。斯かる場合に於いては、人は、座席から立ち上がることなく、現在の座背に座った状態で、一対の袖部３Ａより両腕を抜いた上で、開いている袖付きブランケット３の下方側の他端部３ＥＬ及び上方側の一端部２Ｅの各々より、取付け部３Ｐの配設部分側へ向けて、袖付きブランケット３を手で内側に折り畳んでいけば良い。そして、袖付きブランケット３が収納可能な状態にまで折り畳まれた段階で、人は、当該折り畳まれた袖付きブランケット３を、収納部１Ｃの内部空間１ＣＳＰ内に、入出口部１Ａを介して、放り込む。その上で、人は、入出口部１Ａのファスナーを閉じれば良い。これらの座席に座った状態での一連の動作で、袖付きブランケット３は完全にウェストバッグ本体１の収納部１Ｃ内に一体的に収納されて仕舞われたこととなる。その後、人は、そのままの着席状態を継続するか、或いは、人は、ウェストバッグ１０を腰部に巻き付けたままで立ち上がって、当該乗り物より降車して移動する。この様に、人は、一々、袖付きブランケット３のある場所まで取りに行く必要性無く、座った状態に於いて袖付きブランケット３を利用し、収納することが出来る。しかも、人は、一々、袖付きブランケット３を、手に持って、又は、鞄に詰め込んで、持ち歩く事無く、そのまま他の場所へ移動することが出来、移動先の他の場所で再び袖付きブランケット３を使用するときには上述の動作を単純に繰り返し行えば良い。移動時の場合、人は、移動先で又は移動中に、袖付きブランケットを忘れてしまい、又は、袖付きブランケットを落として気付かないことにより袖付きブランケットを紛失してしまうことは無い。
【００３９】
以上の通り、人が、本実施の形態に係る、袖付きブランケット３を一体的に有するウェストバッグ本体１を腰部に巻き付けてウェストバッグ１０を利用するときには、人は、座席に座っている際に身体が寒いと感じた際に、立ち上がることなく、素早く且つ簡単に袖付きブランケット３を胸側の身体の上に掛けることが出来る。と共に、人は、袖付きブランケット３が不要となった場合又は席から立ち上がって袖付きブランケット３を片付ける必要性のある場合にも、座ったままで、素早く且つ簡単に袖付きブランケット３を自分の腰回りに仕舞ってしまうことが出来る。しかも、袖付きブランケット３は、ウェストバッグ１０を腰部に巻き付けた人の移動（歩行）に応じて、ウェストバッグ本体１と一体となってウェストバッグ本体１と共に移動する、乃至は、持ち運ばれるので、袖付きブランケットを手で持ち歩く等という面倒な事は生ぜず、且つ、袖付きブランケットの紛失という事態も生じ得ない。
【００４０】
尚、袖付きブランケット３を一体的に有する、本実施の形態のウェストバッグ１０は、乗り物に乗車中の場合のみならず、映画館又はコンサート会場等の建物内で座席に座って観覧している場合にも利用可能であり、その場合の使用方法・利点は既述の通りである。要するに、本実施の形態に係るウェストバッグ１０の利用場面・適用場面は種々であり、総じて多いと言える。
【００４１】
（変形例）
実施の形態２に於ける袖付きブランケット３に代えて、単に、袖が付いていないブランケット（毛布）だけのものが、ウェストバッグ本体１の収納部１Ｃの内部空間１ＣＳＰの内面１ＣＳに着脱自在に一体的に取り付けられていても良い。本変形例に於いても、ブランケットの生地の裏面の一部分が、ウェストバッグ本体１の収納部１Ｃの内面１ＣＳに取付けられていると共に、ブランケットは、開かれた入出口部１Ａよりいつでも取り出し可能な状態の下で、収納部１Ｃの内部空間１ＣＳＰ内に折り畳まれた状態にて収納される。この場合には、ブランケットの生地の表面に袖部が付いていることによる利点（腕の手が袖部より出ているので、ブランケットを身体に掛けながら当該手で雑誌等の本を持って読書が出来る等の、他の行動が出来る利点。）は得られないが、ブランケットが内面１ＣＳに着脱自在に一体的に取り付けられていることに起因した既述の利点は同様に得られる。この場合のウェストバッグ１０のブランケットの利用方法は、既述した利用方法と同一である。
【００４２】
その観点から見れば、留意すべき点として、図４の袖部３Ａの構成要素の採用は任意であると、言える。
【００４３】
（実施の形態３）
図５は、本実施の形態に係るウェストバッグ本体１の入出口部１Ａより外部へ取り出された状態にある、着用前のジャケット４を模式的に示す正面図である。本実施の形態に於いても、図１及び図１に関する既述の記載は援用される。又、図４中、図２及び図３と同一の参照符号は、同一の構成要素を示す。
【００４４】
本実施の形態に係るウェストバッグ１０の特徴点は、ウェストバッグ本体１が、その収納部１Ｃの内部空間１ＣＳＰの内面１ＣＳに着脱自在に一体的に取り付けられたジャケット４を有する点にある。この特徴点の構成及び利点の詳細を、図５に基づいて以下に記載する。尚、ジャケット４の材質、種類及び形状は、任意であって、特に限定されるものではない。例えば、種類に関して、防寒用の物として、キルティングジャケット、ダウンジャケット、或いは、アウトドアジャケット（マウンテンパーカーに相当。）が、ジャケット４として用いられる。勿論、その他の種類のジャケットも、防寒用として、ジャケット４として採用可能である。
【００４５】
ジャケット４は、未使用時には、開かれた状態にある入出口部１Ａより取り出し可能な状態の下で、収納部１Ｃの内部空間１ＣＳＰの内部に折り畳まれて収納されている。しかも、ジャケット４の背中側生地４ＢＣの内面４ＩＳの内で人の腰部周りに該当する一部分は、ウェストバッグ本体１の収納部１Ｃの内部空間１ＣＳＰの内面１Ｃに、着脱自在に取付けられている。ジャケット４の背中側生地４ＢＣの内面４ＩＳの上記一部分と、収納部１Ｃの内面１Ｃの生地部分とは、図５では破線で表示されている、上記取付けを担う取付け部４Ｐを構成する。この取付け部４Ｐは、面ファスナーの構成によっても実現可能ではあるが、本実施の形態では、一例として、一般的なファスナーを用いたチャック部乃至はファスナー部として構成されている。斯かる取付け部４Ｐのファスナーの開閉機能によって、実施の形態１及び２の場合と同様の利点が得られる。即ち、人は、取付け部４Ｐに於けるファスナーの開閉動作を通じて、ジャケット４を、収納部１Ｃの内面１ＣＳに容易に取付け且つ容易に取り外すことが自在に出来る。このジャケット４の着脱自在の利点により、人は、収納部１Ｃの内面１ＣＳに部分的に取付けられているジャケット４が汚れてきた場合には、当該ジャケット４を収納部１Ｃの内面１ＣＳより簡単に取り外して洗濯することが可能である。或いは、人は、状況に応じて、収納部１Ｃの内面１ＣＳより簡単に取り外したジャケット４を、ウェストバッグ本体１とは別個に、単独で自在に使用することも可能となる。
【００４６】
尚、変形例として、図５に例示のファスナー機構を成す取付け部４Ｐに代えて、上記の利点は得られないが、ジャケット４の背中側生地４ＢＣの内面４ＩＳの上記一部分を、完全に、収納部１Ｃの内面１ＣＳに、非着脱自在に固設することとしても良い。
【００４７】
次に、図５を参照しつつ、人がウェストバッグ１０のジャケット４を使用する方法について記載する。
【００４８】
先ず、人は、バッグ本体１の収納部１Ｃが自己の身体の腰部の腹部側に位置する様に、バックル部１Ｄを介した一対のバンド部１Ｂの結合によってウェストバッグ本体１を腰部に取付けることで、ウェストバッグ１０を装着する。斯かる装着状態の下で、人は、屋外で、又は、屋内で、活動している場合を考える。この場合に於いて、人は、身体が寒く感じない場合には、ウェストバッグ本体１の入出口部１Ａのファスナーを閉じた状態のままとしておく。この場合に於いては、既述の通り、ジャケット４は、入出口部１Ａよりいつでも取り出し可能な状態の下、適宜に折り畳まれた状態で、収納部１Ｃの内部空間１ＣＳＰ内に収納されている。
【００４９】
次に、人が体感温度によって寒いと感じるので、防寒用の服として、ジャケット４を収納部１Ｃより取り出して着たいと思う場合を考える。この場合には、人は、ウェストバッグ本体１の入出口部１Ａのファスナーを開けた上で、内部空間１ＣＳＰ内に折り畳まれているジャケット４の一部を手で摘まんでジャケット４を外部へと取り出し、その背中側生地４ＢＣの表面が外側（正面側）に位置する様に、ジャケット４を開ければ良い。図５は、そのときのジャケット４の状態を示している。この場合に於いて、人がジャケット４を持っている手を離すと、ジャケット４は、取付け部４Ｐを成す、背中側生地４ＢＣの内面４ＩＳの上記一部分のみが収納部１Ｃの内面１ＣＳに結合されたままで、その生地の表面が正面視に於いて視認可能な状態で正面側に垂れ下がる。この場合、ジャケット４は取付け部４Ｐを介してウェストバッグ本体１と一体化されており、ジャケット４の生地の内面４ＩＳは全体的に正面側からは視認されない。
【００５０】
その状態に於いて、人は、すぐさま、腰部周りに、略１８０度、腰部に取付けられたウェストバッグ本体１を回転させて、収納部１Ｃを腰部の背中側の略中央部に配置させる。すると、ジャケット４の生地の内面４ＩＳが、生地の表面の一部と共に、正面側に向くこととなり、生地の内面４ＩＳの一部が正面側より視認されることとなる。この状態下に於いては、人は、ジャケット４の左右の袖部に、対応する各腕を通すことで、即座にジャケット４を着ることが出来る。この状態に於いては、ウェストバッグ本体１は、全体的に、ジャケット４の生地の内面４ＩＳによって覆われている。よって、ウェストバッグ本体１自体をそのままジャケット４の生地の内面４ＩＳで覆いながら、人は、即座に、上記の簡単な動作で以って、ジャケット４を着ることが出来る。この場合、ウェストバッグ本体１は、依然として、人の腰部に装着されている。上記のジャケット４を着るための動作は、極めて簡単であり、人は面倒な動作を強いられない。
【００５１】
他方、ジャケット４の脱ぎ方及び収納方法は、上記のジャケット４を着る動作とは逆の動作となる。即ち、ジャケット４を着用している人は、ジャケット４の袖部から各腕を抜いてジャケット４を身体から脱ぎ去る。その状態において、人は、すかさず、腰部周りにウェストバッグ本体１を略１８０度回転させて、ウェストバッグ本体１の収納部１Ｃを腰部の腹部上方の位置に復元させる。この場合、ジャケット４は、その背中側生地４ＢＣの内面４ＩＳの一部分と収納部１Ｃの内面１ＣＳとの結合より成る取付け部４Ｐの存在によって、ウェストバッグ本体１の回転動作に随伴する。回転動作終了後のウェストバッグ本体１の状態であって、且つ、ジャケット４の収納のために人がジャケット４を手に持って開けた状態を正面側から眺めた状態は、図５に示される状態となる。この場合、ウェストバッグ本体１の入出口部１Ａは、正面側に位置している。その後、人は、ジャケット４を折り畳んでいき、折り畳まれたジャケット４が収納可能な状態となった段階で、当該折り畳まれた状態のジャケット４を収納部１Ｃの内部空間１ＣＳＰ内へ抛り込んで収納する。その後、人は、入出口部１Ａのファスナーを閉めれば良い。
【００５２】
以上の通り、人は、周囲の気温に対して寒いと感じたときには、何時でも、素早く且つ簡単に、ウェストバッグ本体１の収納部１Ｃよりジャケット４を取り出して着ることが出来、且つ、逆に、不要となった場合には、素早く且つ簡単にジャケット４を脱いでウェストバッグ本体１の収納部１Ｃ内に収納することが出来る。しかも、人は、一々、ジャケットを手に持って歩く、或いは、ジャケットを鞄の中に入れて持ち歩く必要性は無くなり、そのために、ジャケットを置き忘れたり又は落としたりしてジャケットを紛失してしまうことも無い。この様に、人は、腰部周りにウェストバッグ本体１を取り付けるだけで、移動しながらジャケットをも同時に持ち運び、必要に応じて素早くジャケットを着ることが出来るので、大変便利であると感じることはあっても、不便さを感じることは無い。
【００５３】
（付記）
以上、本考案の実施の形態を詳細に開示し記述したが、以上の記述は本考案の適用可能な局面を例示したものであって、本考案はこれに限定されるものではない。即ち、記述した局面に対する様々な修正及び／又は変形例を、この考案の範囲から逸脱することの無い範囲内で考えることが可能である。
【産業上の利用可能性】
【００５４】
本考案は、例えば、膝掛（レインスカートを含む。）、ブランケット又はジャケットが開閉口より取り出し可能な状態で収納部内に着脱自在に一体的に取り付けられて収納されているウェストバッグに適用して好適である。
【符号の説明】
【００５５】
１０  ウェストバッグ
１  ウェストバッグ本体
１Ａ  入出口部（ファスナー部）
１Ｂ  バンド部
１Ｃ  収納部
１ＣＳ  収納部の内面
２  膝掛（ひざ掛け）
２Ｅ  膝掛の一端部
３  袖付きブランケット
３ＳＳ  表面
３ＲＳ  裏面
３Ａ  袖部
３Ｐ  取付け部（ファスナー部）
４  ジャケット
４Ｐ  取付け部（ファスナー部）
Ｐ  人
【図１】
0003205817.tif 000003
【図２】
0003205817.tif 000004
【図３】
0003205817.tif 000005
【図４】
0003205817.tif 000006
【図５】
0003205817.tif 000007
【手続補正書】
【提出日】平成28年6月13日(2016.6.13)
【手続補正１】
【補正対象書類名】実用新案登録請求の範囲
【補正対象項目名】全文
【補正方法】変更
【補正の内容】
【実用新案登録請求の範囲】
【請求項１】
開閉自在な入出口部、前記入出口部を介してその内部に物を収納可能な収納部、及び、前記収納部の両端部に取付けられており人の腰部に装着自在な一対のバンド部を有するウェストバッグ本体と、
前記ウェストバッグ本体の前記収納部の内面に取付けられている一端部を有すると共に、開かれた前記入出口部より取り出し可能な状態で前記収納部の前記内部に折り畳まれて収納されている膝掛と
を備えることを特徴とする、ウェストバッグ。
【請求項２】
開閉自在な入出口部、前記入出口部を介してその内部に物を収納可能な収納部、及び、前記収納部の両端部に取付けられており人の腰部に装着自在な一対のバンド部を有するウェストバッグ本体と、
開かれた前記入出口部より取り出し可能な状態で前記収納部の前記内部に折り畳まれて収納されていると共に、生地の裏面の一部分が前記ウェストバッグ本体の前記収納部の内面に取付けられているブランケットと
を備えることを特徴とする、ウェストバッグ。
【請求項３】
請求項１又は２に記載のウェストバッグであって、
前記膝掛の前記一端部又は前記ブランケットの前記生地裏面の前記一部分は、前記ウェストバッグ本体の前記収納部の前記内面に対して着脱自在に取り付けられている
ことを特徴とする、ウェストバッグ。
【請求項４】
開閉自在な入出口部、前記入出口部を介してその内部に物を収納可能な収納部、及び、前記収納部の両端部に取付けられており人の腰部に装着自在な一対のバンド部を有するウェストバッグ本体と、
その背中側の生地の内面の内で前記人の前記腰部周りに該当する一部分が前記ウェストバッグ本体の前記収納部の内面に取付けられていると共に、開かれた前記入出口部より取り出し可能な状態で前記収納部の前記内部に折り畳まれて収納されている、ジャケットと
を備えることを特徴とする、ウェストバッグ。
【請求項５】
請求項４に記載のウェストバッグであって、
前記ジャケットの前記背中側生地内面の前記一部分は、前記ウェストバッグ本体の前記収納部の前記内面に対して着脱自在に取り付けられている
ことを特徴とする、ウェストバッグ。